(57)【要約】  本願の実施例はＳＲＳ伝送の面で電力制御を実現することのできる無線通信方法及び装置を提供する。該方法は、端末装置が少なくとも１つのサウンディング参照信号（ＳＲＳ）リソースセットのうちの各ＳＲＳリソースセットに対応する最大送信電力及び／又は送信電力制御（ＴＰＣ）情報を取得することと、前記各ＳＲＳリソースセットに対応する最大送信電力及び／又はＴＰＣ情報に基づき、前記各ＳＲＳリソースセットにおけるＳＲＳリソースを用いてＳＲＳを送信することと、を含む。
2021515425.tif 000002
【特許請求の範囲】
【請求項１】
無線通信方法であって、
端末装置が少なくとも１つのサウンディング参照信号（ＳＲＳ）リソースセットのうちの各ＳＲＳリソースセットに対応する最大送信電力及び／又は送信電力制御（ＴＰＣ）情報を取得することと、
前記各ＳＲＳリソースセットに対応する最大送信電力及び／又はＴＰＣ情報に基づき、前記各ＳＲＳリソースセットにおけるＳＲＳリソースを用いてＳＲＳを送信することと、を含むことを特徴とする無線通信方法。
【請求項２】
前記端末装置が前記各ＳＲＳリソースセットに対応する最大送信電力を取得することは、
前記端末装置が前記各ＳＲＳリソースセットに適用される第１最大送信電力を取得することを含むことを特徴とする請求項１に記載の方法。
【請求項３】
前記端末装置が第１最大送信電力を取得することは、
前記端末装置の電力レベル及び／又はネットワーク装置の構成情報に基づき、前記第１最大送信電力を決定することを含むことを特徴とする請求項２に記載の方法。
【請求項４】
前記端末装置が前記各ＳＲＳリソースセットに対応する最大送信電力を取得することは、
第２最大送信電力を取得することと、
前記第２最大電力を特定値で割った電力値を、前記各ＳＲＳリソースセットに対応する最大送信電力として決定し、前記特定値が前記少なくとも１つのＳＲＳリソースセットに対応するＳＲＳリソースセットの数以上であることと、を含むことを特徴とする請求項１に記載の方法。
【請求項５】
第２最大送信電力を取得することは、
前記端末装置の電力レベル及び／又はネットワーク装置の構成情報に基づき、前記第２最大送信電力を決定することを含むことを特徴とする請求項４に記載の方法。
【請求項６】
前記端末装置が前記各ＳＲＳリソースセットに対応する最大送信電力を取得することは、
前記端末装置の電力レベル及び／又はネットワーク装置の構成情報に基づき、それぞれ前記各ＳＲＳリソースセット又は各ＳＲＳリソースセットグループに対応する最大送信電力を独立して決定することを含むことを特徴とする請求項１に記載の方法。
【請求項７】
前記端末装置が前記各ＳＲＳリソースセットに対応するＴＰＣ情報を取得することは、
前記少なくとも１つのＳＲＳリソースセットに対応する少なくとも１つのシグナリングから、それぞれ前記各ＳＲＳリソースセットに対応するＴＰＣ情報を取得することを含むことを特徴とする請求項１〜６のいずれか１項に記載の方法。
【請求項８】
前記少なくとも１つのシグナリングのうちの各シグナリングの前記少なくとも１つのシグナリングでの配列順序が対応するＳＲＳリソースセットを示し、又は、
前記各シグナリングが、対応するＳＲＳリソースセットを示すための第１指示情報に関連付けられることを特徴とする請求項７に記載の方法。
【請求項９】
前記端末装置が前記各ＳＲＳリソースセットに対応するＴＰＣ情報を取得することは、
前記少なくとも１つのＳＲＳリソースセットに対応する少なくとも１つのＴＰＣ情報フィールドから、それぞれ前記各ＳＲＳリソースセットに対応するＴＰＣ情報を取得することを含むことを特徴とする請求項１〜６のいずれか１項に記載の方法。
【請求項１０】
前記少なくとも１つのＴＰＣ情報フィールドのうちの各ＴＰＣ情報フィールドの前記少なくとも１つのＴＰＣ情報フィールドでの配列順序が対応するＳＲＳリソースセットを示し、又は、
前記各ＴＰＣ情報フィールドが、対応するＳＲＳリソースセットを示すための第２指示情報に関連付けられることを特徴とする請求項９に記載の方法。
【請求項１１】
前記方法は、更に、
前記端末装置に対応するＴＰＣ情報フィールド及び／又は前記端末装置のＳＲＳリソースセットに対応するＴＰＣ情報フィールドを示すための第３指示情報を受信することを含むことを特徴とする請求項９又は１０に記載の方法。
【請求項１２】
前記少なくとも１つのＴＰＣ情報フィールドを含むシグナリングが端末装置グループに適用されることを特徴とする請求項９〜１１のいずれか１項に記載の方法。
【請求項１３】
前記少なくとも１つのＳＲＳリソースセットが少なくとも１つのアンテナパネルに対応し、異なるパネルに対応するＳＲＳリソースセットが異なることを特徴とする請求項１〜１２のいずれか１項に記載の方法。
【請求項１４】
無線通信方法であって、
ネットワーク装置が少なくとも１つのＳＲＳリソースセットに対応する少なくとも１つの送信電力制御（ＴＰＣ）情報を決定することと、
前記ネットワーク装置が端末装置へ前記少なくとも１つのＴＰＣ情報を送信することと、を含むことを特徴とする無線通信方法。
【請求項１５】
前記少なくとも１つのＴＰＣ情報が少なくとも１つのシグナリングに含まれており、各シグナリングに１つのＴＰＣ情報が含まれることを特徴とする請求項１４に記載の方法。
【請求項１６】
前記少なくとも１つのシグナリングのうちの各シグナリングの前記少なくとも１つのシグナリングでの配列順序が対応するＳＲＳリソースセットを示すことを特徴とする請求項１５に記載の方法。
【請求項１７】
前記各シグナリングが、対応するＳＲＳリソースセットを示すための第１指示情報に関連付けられることを特徴とする請求項１５に記載の方法。
【請求項１８】
前記少なくとも１つのＴＰＣ情報が単一のシグナリングの少なくとも１つのＴＰＣ情報フィールドに含まれており、各ＴＰＣ情報フィールドに１つのＴＰＣ情報が含まれることを特徴とする請求項１４に記載の方法。
【請求項１９】
前記少なくとも１つのＴＰＣ情報フィールドのうちの各ＴＰＣ情報フィールドの前記少なくとも１つのＴＰＣ情報フィールドでの配列順序が対応するＳＲＳリソースセットを示すことを特徴とする請求項１８に記載の方法。
【請求項２０】
前記各ＴＰＣ情報フィールドが、対応するＳＲＳリソースセットを示すための第２指示情報に関連付けられることを特徴とする請求項１８に記載の方法。
【請求項２１】
前記方法は、更に、
前記端末装置に対応するＴＰＣ情報フィールド及び／又は前記端末装置のＳＲＳリソースセットに対応するＴＰＣ情報フィールドを示すための第３指示情報を送信することを含むことを特徴とする請求項１８〜２０のいずれか１項に記載の方法。
【請求項２２】
前記単一のシグナリングが端末装置グループに適用されることを特徴とする請求項１８〜２１のいずれか１項に記載の方法。
【請求項２３】
端末装置であって、
少なくとも１つのサウンディング参照信号（ＳＲＳ）リソースセットのうちの各ＳＲＳリソースセットに対応する最大送信電力及び／又は送信電力制御（ＴＰＣ）情報を取得するための処理ユニットと、
前記各ＳＲＳリソースセットに対応する最大送信電力及び／又はＴＰＣ情報に基づき、前記各ＳＲＳリソースセットにおけるＳＲＳリソースを用いてＳＲＳを送信するための通信ユニットと、を備えることを特徴とする端末装置。
【請求項２４】
前記処理ユニットは、更に、
前記各ＳＲＳリソースセットに適用される第１最大送信電力を取得することに用いられることを特徴とする請求項２３に記載の装置。
【請求項２５】
前記処理ユニットは、更に、
前記端末装置の電力レベル及び／又はネットワーク装置の構成情報に基づき、前記第１最大送信電力を決定することに用いられることを特徴とする請求項２４に記載の装置。
【請求項２６】
前記処理ユニットは、更に、
第２最大送信電力を取得することと、
前記第２最大電力を特定値で割った電力値を、前記各ＳＲＳリソースセットに対応する最大送信電力として決定し、前記特定値が前記少なくとも１つのＳＲＳリソースセットに対応するＳＲＳリソースセットの数以上であることとに用いられることを特徴とする請求項２３に記載の装置。
【請求項２７】
前記処理ユニットは、更に、
前記端末装置の電力レベル及び／又はネットワーク装置の構成情報に基づき、前記第２最大送信電力を決定することに用いられることを特徴とする請求項２６に記載の装置。
【請求項２８】
前記処理ユニットは、更に、
前記端末装置の電力レベル及び／ネットワーク装置の構成情報に基づき、それぞれ前記各ＳＲＳリソースセット又は各ＳＲＳリソースセットグループに対応する最大送信電力を独立して決定することに用いられることを特徴とする請求項２３に記載の装置。
【請求項２９】
前記処理ユニットは、更に、
前記少なくとも１つのＳＲＳリソースセットに対応する少なくとも１つのシグナリングから、それぞれ前記各ＳＲＳリソースセットに対応するＴＰＣ情報を取得することに用いられることを特徴とする請求項２３〜２８のいずれか１項に記載の装置。
【請求項３０】
前記少なくとも１つのシグナリングのうちの各シグナリングの前記少なくとも１つのシグナリングでの配列順序が対応するＳＲＳリソースセットを示し、又は、
前記各シグナリングが、対応するＳＲＳリソースセットを示すための第１指示情報に関連付けられることを特徴とする請求項２９に記載の装置。
【請求項３１】
前記処理ユニットは、更に、
前記少なくとも１つのＳＲＳリソースセットに対応する少なくとも１つのＴＰＣ情報フィールドから、それぞれ前記各ＳＲＳリソースセットに対応するＴＰＣ情報を取得することに用いられることを特徴とする請求項２３〜２８のいずれか１項に記載の装置。
【請求項３２】
前記少なくとも１つのＴＰＣ情報フィールドのうちの各ＴＰＣ情報フィールドの前記少なくとも１つのＴＰＣ情報フィールドでの配列順序が対応するＳＲＳリソースセットを示し、又は、
前記各ＴＰＣ情報フィールドが、対応するＳＲＳリソースセットを示すための第２指示情報に関連付けられることを特徴とする請求項３１に記載の装置。
【請求項３３】
前記通信ユニットは、更に、
前記端末装置に対応するＴＰＣ情報フィールド及び／又は前記端末装置のＳＲＳリソースセットに対応するＴＰＣ情報フィールドを示すための第３指示情報を受信することに用いられることを特徴とする請求項３１又は３２に記載の装置。
【請求項３４】
前記少なくとも１つのＴＰＣ情報フィールドを含むシグナリングが端末装置グループに適用されることを特徴とする請求項３１〜３３のいずれか１項に記載の装置。
【請求項３５】
前記少なくとも１つのＳＲＳリソースセットが少なくとも１つのアンテナパネルに対応し、異なるパネルに対応するＳＲＳリソースセットが異なることを特徴とする請求項２３〜３４のいずれか１項に記載の装置。
【請求項３６】
ネットワーク装置であって、
少なくとも１つのＳＲＳリソースセットに対応する少なくとも１つの送信電力制御（ＴＰＣ）情報を決定するための処理ユニットと、
端末装置へ前記少なくとも１つのＴＰＣ情報を送信するための通信ユニットと、を備えることを特徴とするネットワーク装置。
【請求項３７】
前記少なくとも１つのＴＰＣ情報が少なくとも１つのシグナリングに含まれており、各シグナリングに１つのＴＰＣ情報が含まれることを特徴とする請求項３６に記載の装置。
【請求項３８】
前記少なくとも１つのシグナリングのうちの各シグナリングの前記少なくとも１つのシグナリングでの配列順序が対応するＳＲＳリソースセットを示すことを特徴とする請求項３７に記載の装置。
【請求項３９】
前記各シグナリングが、対応するＳＲＳリソースセットを示すための第１指示情報に関連付けられることを特徴とする請求項３７に記載の装置。
【請求項４０】
前記少なくとも１つのＴＰＣ情報が単一のシグナリングの少なくとも１つのＴＰＣ情報フィールドに含まれており、各ＴＰＣ情報フィールドに１つのＴＰＣ情報が含まれることを特徴とする請求項３６に記載の装置。
【請求項４１】
前記少なくとも１つのＴＰＣ情報フィールドのうちの各ＴＰＣ情報フィールドの前記少なくとも１つのＴＰＣ情報フィールドでの配列順序が対応するＳＲＳリソースセットを示すことを特徴とする請求項４０に記載の装置。
【請求項４２】
前記各ＴＰＣ情報フィールドが、対応するＳＲＳリソースセットを示すための第２指示情報に関連付けられることを特徴とする請求項４０に記載の装置。
【請求項４３】
前記通信ユニットは、更に、
前記端末装置に対応するＴＰＣ情報フィールド及び／又は前記端末装置のＳＲＳリソースセットに対応するＴＰＣ情報フィールドを示すための第３指示情報を送信することに用いられることを特徴とする請求項４０〜４２のいずれか１項に記載の装置。
【請求項４４】
前記単一のシグナリングが端末装置グループに適用されることを特徴とする請求項４０〜４３のいずれか１項に記載の装置。
【発明の詳細な説明】
【技術分野】
【０００１】
本願は通信分野に関し、より具体的に、無線通信方法、端末装置及びネットワーク装置に関する。
【背景技術】
【０００２】
新無線（ＮＲ、Ｎｅｗ  Ｒａｄｉｏ）システムにおいて、端末装置にサウンディング参照信号（ＳＲＳ、Ｓｏｕｎｄｉｎｇ  Ｒｅｆｅｒｅｎｃｅ  Ｓｉｇｎａｌ）リソースセットが構成されてもよい。端末装置はＳＲＳリソースセットにおけるＳＲＳリソースを利用してＳＲＳを送信してもよい。
【０００３】
ＮＲシステムにおいて、ＳＲＳ伝送の面でどのように電力制御を行うかは早急な解決の待たれる問題である。
【発明の概要】
【発明が解決しようとする課題】
【０００４】
本願の実施例はＳＲＳ伝送の面で電力制御を実現することのできる無線通信方法及び装置を提供する。
【課題を解決するための手段】
【０００５】
第１態様には、無線通信方法を提供し、
端末装置が少なくとも１つのサウンディング参照信号（ＳＲＳ）リソースセットのうちの各ＳＲＳリソースセットに対応する最大送信電力及び／又は送信電力制御（ＴＰＣ）情報を取得することと、
前記各ＳＲＳリソースセットに対応する最大送信電力及び／又はＴＰＣ情報に基づき、前記各ＳＲＳリソースセットにおけるＳＲＳリソースを用いてＳＲＳを送信することと、を含む。
【０００６】
第１態様を参照して、第１態様の可能な実現方式では、前記端末装置が前記各ＳＲＳリソースセットに対応する最大送信電力を取得することは、
前記端末装置が前記各ＳＲＳリソースセットに適用される第１最大送信電力を取得することを含む。
【０００７】
第１態様又はその上記いずれか１つの可能な実現方式を参照して、第１態様の可能な実現方式では、前記端末装置が第１最大送信電力を取得することは、
前記端末装置の電力レベル及び／又はネットワーク装置の構成情報に基づき、前記第１最大送信電力を決定することを含む。
【０００８】
第１態様又はその上記いずれか１つの可能な実現方式を参照して、第１態様の可能な実現方式では、前記端末装置が前記各ＳＲＳリソースセットに対応する最大送信電力を取得することは、
第２最大送信電力を取得することと、
前記第２最大電力を特定値で割った電力値を、前記各ＳＲＳリソースセットに対応する最大送信電力として決定し、前記特定値が前記少なくとも１つのＳＲＳリソースセットに対応するＳＲＳリソースセットの数以上であることと、を含む。
【０００９】
第１態様又はその上記いずれか１つの可能な実現方式を参照して、第１態様の可能な実現方式では、第２最大送信電力を取得することは、
前記端末装置の電力レベル及び／又はネットワーク装置の構成情報に基づき、前記第２最大送信電力を決定することを含む。
【００１０】
第１態様又はその上記いずれか１つの可能な実現方式を参照して、第１態様の可能な実現方式では、前記端末装置が前記各ＳＲＳリソースセットに対応する最大送信電力を取得することは、
前記端末装置の電力レベル及び／又はネットワーク装置の構成情報に基づき、それぞれ前記各ＳＲＳリソースセット又は各ＳＲＳリソースセットグループに対応する最大送信電力を独立して決定することを含む。
【００１１】
第１態様又はその上記いずれか１つの可能な実現方式を参照して、第１態様の可能な実現方式では、前記端末装置が前記各ＳＲＳリソースセットに対応するＴＰＣ情報を取得することは、
前記少なくとも１つのＳＲＳリソースセットに対応する少なくとも１つのシグナリングから、それぞれ前記各ＳＲＳリソースセットに対応するＴＰＣ情報を取得することを含む。
【００１２】
第１態様又はその上記いずれか１つの可能な実現方式を参照して、第１態様の可能な実現方式では、前記少なくとも１つのシグナリングのうちの各シグナリングの前記少なくとも１つのシグナリングでの配列順序が対応するＳＲＳリソースセットを示し、又は、
前記各シグナリングが、対応するＳＲＳリソースセットを示すための第１指示情報に関連付けられる。
【００１３】
第１態様又はその上記いずれか１つの可能な実現方式を参照して、第１態様の可能な実現方式では、前記端末装置が前記各ＳＲＳリソースセットに対応するＴＰＣ情報を取得することは、
前記少なくとも１つのＳＲＳリソースセットに対応する少なくとも１つのＴＰＣ情報フィールドから、それぞれ前記各ＳＲＳリソースセットに対応するＴＰＣ情報を取得することを含む。
【００１４】
第１態様又はその上記いずれか１つの可能な実現方式を参照して、第１態様の可能な実現方式では、前記少なくとも１つのＴＰＣ情報フィールドのうちの各ＴＰＣ情報フィールドの前記少なくとも１つのＴＰＣ情報フィールドでの配列順序が対応するＳＲＳリソースセットを示し、又は、
前記各ＴＰＣ情報フィールドが、対応するＳＲＳリソースセットを示すための第２指示情報に関連付けられる。
【００１５】
第１態様又はその上記いずれか１つの可能な実現方式を参照して、第１態様の可能な実現方式では、前記方法は、更に、
前記端末装置に対応するＴＰＣ情報フィールド及び／又は前記端末装置のＳＲＳリソースセットに対応するＴＰＣ情報フィールドを示すための第３指示情報を受信することを含む。
【００１６】
第１態様又はその上記いずれか１つの可能な実現方式を参照して、第１態様の可能な実現方式では、前記少なくとも１つのＴＰＣ情報フィールドを含むシグナリングが端末装置グループに適用される。
【００１７】
第１態様又はその上記いずれか１つの可能な実現方式を参照して、第１態様の可能な実現方式では、前記少なくとも１つのＳＲＳリソースセットが少なくとも１つのアンテナパネルに対応し、異なるパネルに対応するＳＲＳリソースセットが異なる。
【００１８】
第２態様には、無線通信方法を提供し、
ネットワーク装置が少なくとも１つのＳＲＳリソースセットに対応する少なくとも１つの送信電力制御（ＴＰＣ）情報を決定することと、
前記ネットワーク装置が端末装置へ前記少なくとも１つのＴＰＣ情報を送信することと、を含む。
【００１９】
第２態様を参照して、第２令では、各シグナリングに１つのＴＰＣ情報が含まれる。
【００２０】
第２態様又はその上記いずれか１つの可能な実現方式を参照して、第２態様の可能な実現方式では、前記少なくとも１つのシグナリングのうちの各シグナリングの前記少なくとも１つのシグナリングでの配列順序が対応するＳＲＳリソースセットを示す。
【００２１】
第２態様又はその上記いずれか１つの可能な実現方式を参照して、第２態様の可能な実現方式では、前記各シグナリングが、対応するＳＲＳリソースセットを示すための第１指示情報に関連付けられる。
【００２２】
第２態様又はその上記いずれか１つの可能な実現方式を参照して、第２態様の可能な実現方式では、前記少なくとも１つのＴＰＣ情報が単一のシグナリングの少なくとも１つのＴＰＣ情報フィールドに含まれており、各ＴＰＣ情報フィールドに１つのＴＰＣ情報が含まれる。
【００２３】
第２態様又はその上記いずれか１つの可能な実現方式を参照して、第２態様の可能な実現方式では、前記少なくとも１つのＴＰＣ情報フィールドのうちの各ＴＰＣ情報フィールドの前記少なくとも１つのＴＰＣ情報フィールドでの配列順序が対応するＳＲＳリソースセットを示す。
【００２４】
第２態様又はその上記いずれか１つの可能な実現方式を参照して、第２態様の可能な実現方式では、前記各ＴＰＣ情報フィールドが、対応するＳＲＳリソースセットを示すための第２指示情報に関連付けられる。
【００２５】
第２態様又はその上記いずれか１つの可能な実現方式を参照して、第２態様の可能な実現方式では、前記方法は、更に、
前記端末装置に対応するＴＰＣ情報フィールド及び／又は前記端末装置のＳＲＳリソースセットに対応するＴＰＣ情報フィールドを示すための第３指示情報を送信することを含む。
【００２６】
第２態様又はその上記いずれか１つの可能な実現方式を参照して、第２態様の可能な実現方式では、前記単一のシグナリングが端末装置グループに適用される。
【００２７】
第３態様には端末装置を提供し、上記第１態様又は第１態様のいずれか１つの可能な実現方式における方法を実行することに用いられる。具体的に、前記端末装置は上記第１態様又は第１態様のいずれか１つの可能な実現方式における方法を実行するための機能モジュールを備える。
【００２８】
第４態様にはネットワーク装置を提供し、上記第２態様又は第２態様のいずれか１つの可能な実現方式における方法を実行することに用いられる。具体的に、前記ネットワーク装置は上記第２態様又は第２態様のいずれか１つの可能な実現方式における方法を実行するための機能モジュールを備える。
【００２９】
第５態様には端末装置を提供し、プロセッサ、メモリ及び送受信機を備える。前記プロセッサ、前記メモリ及び前記送受信機が内部接続経路によって互いに通信し、制御及び／又はデータ信号を伝達することにより、前記端末装置が上記第１態様又は第１態様のいずれか１つの可能な実現方式における方法を実行する。
【００３０】
第６態様にはネットワーク装置を提供し、プロセッサ、メモリ及び送受信機を備える。前記プロセッサ、前記メモリ及び前記送受信機が内部接続経路によって互いに通信し、制御及び／又はデータ信号を伝達することにより、前記ネットワーク装置が上記第２態様又は第２態様のいずれか１つの可能な実現方式における方法を実行する。
【００３１】
第７態様にはコンピュータ可読媒体を提供し、コンピュータプログラムを記憶することに用いられ、前記コンピュータプログラムは上記方法又はいずれか１つの可能な実現方式における方法を実行するための命令を含む。
【００３２】
第８態様には命令を含むコンピュータプログラム製品を提供し、コンピュータにおいて実行されるとき、コンピュータが上記方法又はいずれか１つの可能な実現方式における方法を実行する。
【発明の効果】
【００３３】
従って、本願の実施例では、端末装置は少なくとも１つのＳＲＳリソースセットのうちの各ＳＲＳリソースセットに対して、対応する最大送信電力及び／又は送信電力制御（ＴＰＣ、ｔｒａｎｓｍｉｔ  ｐｏｗｅｒ  ｃｏｎｔｒｏｌ）情報を取得し、ＳＲＳ伝送の面での電力制御を実現することができる。且つ、アンテナパネルが複数あって、各パネルが異なるＳＲＳリソースセットに対応する場合、複数のパネルがＳＲＳを同時に送信する電力制御を実現でき、アップリンクの干渉を低減する。
【図面の簡単な説明】
【００３４】
【図１】図１は本願の実施例に係る無線通信システムの模式図である。
【図２】図２は本願の実施例に係る無線通信方法の模式的なフローチャートである。
【図３】図３は本願の実施例に係る無線通信方法の模式的なフローチャートである。
【図４】図４は本願の実施例に係る端末装置の模式的なブロック図である。
【図５】図５は本願の実施例に係るネットワーク装置の模式的なブロック図である。
【図６】図６は本願の実施例に係るシステムチップの模式的なブロック図である。
【図７】図７は本願の実施例に係る通信装置の模式的なブロック図である。
【発明を実施するための形態】
【００３５】
以下、本願の実施例の図面を参照しながら本願の実施例の技術案を説明する。
【００３６】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００３７】
図１には本願の実施例に適用される無線通信システム１００を示す。該無線通信システム１００はネットワーク装置１１０を備えてもよい。ネットワーク装置１００は端末装置と通信する装置であってもよい。ネットワーク装置１００は特定の地理的領域に通信カバレッジを提供することができ、且つ該カバレッジ領域内の端末装置（例えば、ＵＥ）と通信することができる。選択肢として、該ネットワーク装置１００はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００３８】
該無線通信システム１００は更にネットワーク装置１１０のカバレッジ範囲内の少なくとも１つの端末装置１２０を備える。端末装置１２０は可動又は固定であってもよい。選択肢として、端末装置１２０はアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００３９】
選択肢として、端末装置１２０同士が装置対装置（Ｄ２Ｄ、Ｄｅｖｉｃｅ  ｔｏ  Ｄｅｖｉｃｅ）通信を行うことができる。
【００４０】
選択肢として、５Ｇシステム又はネットワークが更に新無線（ＮＲ、Ｎｅｗ  Ｒａｄｉｏ）システム又はネットワークと称されてもよい。
【００４１】
図１には１つのネットワーク装置及び２つの端末装置を例示的に示し、選択肢として、該無線通信システム１００は複数のネットワーク装置を備えてもよく、且つ各ネットワーク装置のカバレッジ範囲内に他の数の端末装置が含まれてもよく、本願の実施例は制限しない。
【００４２】
無線通信システム１００において、端末装置には１つ又は複数のアンテナアレイブロックがアップリンクデータの伝送に使用されてもよく、各アンテナアレイブロックが独立する無線周波数チャネルを有する。１つの復調用参照信号（ＤＭＲＳ、Ｄｅｍｏｄｕｌａｔｉｏｎ  Ｒｅｆｅｒｅｎｃｅ  Ｓｉｇｎａｌ）ポートグループが１つのアンテナアレイブロックに対応し、端末装置は１つのアンテナアレイブロックの伝送パラメータを決定した後、このアンテナアレイブロックにおいて対応するＤＭＲＳポートグループにおけるデータを伝送してもよい。
【００４３】
選択肢として、該無線通信システム１００は更にネットワーク制御装置、モビリティ管理エンティティ等の他のネットワークエンティティを備えてもよく、本願の実施例はこれを制限しない。
【００４４】
理解されるように、本明細書において、本明細書における用語「システム」と「ネットワーク」は常に交換可能に使用される。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００４５】
図２は本願の実施例に係る無線通信方法２００の模式的なフローチャートである。該方法２００は以下の少なくとも一部内容を含む。
【００４６】
２１０、端末装置が少なくとも１つのＳＲＳリソースセットのうちの各ＳＲＳリソースセットに対応する最大送信電力及び／又は送信電力制御（ＴＰＣ、ｔｒａｎｓｍｉｔ  ｐｏｗｅｒ  ｃｏｎｔｒｏｌ）情報を取得する。
【００４７】
具体的に、端末装置に少なくとも１つのＳＲＳリソースセットが構成されてもよい。各ＳＲＳリソースセットは複数のＳＲＳリソースを含んでもよく、各ＳＲＳリソースは独立する構成を有するＳＲＳリソースであってもよく、異なるＳＲＳリソースが独立する構成を有してもよい。異なるＳＲＳリソースはＳＲＳの送信サイクル、ＳＲＳのトリガー方式、ＳＲＳが送信するたびに占有するシンボルの数等の面で異なってもよい。同じＳＲＳリソースセットにおけるＳＲＳリソースは少なくとも１つの構成の面で同じであってもよい。
【００４８】
異なるＳＲＳリソースセットは少なくとも１つの構成、例えばＳＲＳの送信サイクル、ＳＲＳのトリガー方式又はＳＲＳが送信するたびに占有するシンボルの数等の面で異なってもよい。
【００４９】
選択肢として、端末装置に少なくとも１つのアンテナパネル（ａｎｔｅｎｎａ  ｐａｎｅｌ）が構成されてもよく、各アンテナパネルには、該アンテナパネルによりＳＲＳを送信するための１つ又は複数のＳＲＳリソースセットが構成されてもよい。
【００５０】
選択肢として、２１０における少なくとも１つのＳＲＳリソースセットが１つ又は複数のアンテナパネルに対応してもよく、異なるアンテナパネルに対応するＳＲＳリソースセットが同じであってもよく、異なってもよい。
【００５１】
理解されるように、２１０における少なくとも１つのＳＲＳリソースセットは端末装置の利用可能なすべてのＳＲＳリソースセットであってもよく、端末装置の利用可能な一部のＳＲＳリソースセットであってもよい。
【００５２】
ミリ波のＮＲ端末は異なる複数のアンテナパネルがあってもよく、各パネルに形成された異なるビームフォーミングが異なる方向に指向し、信号を同時に送信してもよい。
【００５３】
端末装置に複数のアンテナパネルがある場合、信号を同時に送信すれば、電力制御を行う必要がある。
【００５４】
２２０、端末装置が前記各ＳＲＳリソースセットに対応する最大送信電力及び／又はＴＰＣ情報に基づき、前記各ＳＲＳリソースセットにおけるＳＲＳリソースを用いてＳＲＳを送信する。
【００５５】
本願をより明確に理解するために、以下に各ＳＲＳリソースセットに対してどのように対応する最大送信電力を決定するかについて詳しく説明する。
【００５６】
一実現方式では、前記端末装置が前記各ＳＲＳリソースセットに適用される第１最大送信電力を取得する。
【００５７】
具体的に、端末装置は少なくとも１つのＳＲＳリソースセットのために、１つの最大送信電力を共同で決定してもよく、端末装置が少なくとも１つのＳＲＳリソースセットのうちの各ＳＲＳリソースセットを利用してＳＲＳを送信するとき、用いた最大送信電力が同じである。
【００５８】
選択肢として、端末装置が前記端末装置の電力レベル及び／又はネットワーク装置の構成情報に基づき、前記第１最大送信電力を決定する。
【００５９】
具体的に、端末装置は、その自体の電力レベル及びネットワーク装置に構成された少なくとも１つのパラメータを参照して、該第１最大送信電力を決定してもよい。
【００６０】
一実現方式では、端末装置が第２最大送信電力を取得し、前記第２最大電力を特定値で割った電力値を、前記各ＳＲＳリソースセットに対応する最大送信電力として決定し、前記特定値が前記少なくとも１つのＳＲＳリソースセットに対応するＳＲＳリソースセットの数以上である。
【００６１】
該特定値は端末装置のアンテナパネルの数に等しくてもよく、端末装置のアンテナパネルはＳＲＳリソースセットに１対１に対応してもよい。又は、該特定数は端末装置の利用可能な最大ＳＲＳリソースセットに等しくてもよい。又は、該特定数は端末装置のアンテナパネルにより送信できるＳＲＳリソースセットの数に等しくてもよい。
【００６２】
選択肢として、前記端末装置が前記端末装置の電力レベル及び／又はネットワーク装置の構成情報に基づき、前記第２最大送信電力を決定する。
【００６３】
具体的に、端末装置は、その自体の電力レベル及びネットワーク装置に構成された少なくとも１つのパラメータを参照して、該第２最大送信電力を決定してもよい。
【００６４】
他の実現方式では、前記端末装置の電力レベル及び／又はネットワーク装置の構成情報に基づき、それぞれ前記各ＳＲＳリソースセット又は各ＳＲＳリソースセットグループに対応する最大送信電力を独立して決定する。
【００６５】
該各ＳＲＳリソースセットグループは少なくとも１つのＳＲＳリソースセットを含んでもよく、２１０に言及した少なくとも１つのＳＲＳセットは少なくとも１つのＳＲＳリソースセットグループに属してもよく、端末装置は端末装置の電力レベルに基づいて、各ＳＲＳリソースセットグループのために最大送信電力を決定してもよい。
【００６６】
本願をより明確に理解するために、以下に各ＳＲＳリソースセットに対してどのように対応するＴＰＣを決定するかについて詳しく説明する。
【００６７】
一実現方式では、前記少なくとも１つのＳＲＳリソースセットに対応する少なくとも１つのシグナリングから、それぞれ前記各ＳＲＳリソースセットに対応するＴＰＣ情報を取得する。
【００６８】
少なくとも１つのシグナリングは少なくとも１つのＳＲＳリソースセットに１対１に対応してもよく、各シグナリングにはそれぞれに対応するＳＲＳリソースセットに対応するＴＰＣ情報が含まれてもよい。
【００６９】
ネットワーク装置は各送信サイクルにおいて少なくとも１つのシグナリングを送信してもよく、少なくとも１つのＳＲＳリソースセットに対応するＴＰＣ情報のシグナリングが同じ送信サイクルに属してもよく、異なる送信サイクルに属してもよい。
【００７０】
選択肢として、本願の実施例に言及したシグナリングは物理層シグナリングであってもよく、ダウンリンク制御情報（ＤＣＩ、Ｄｏｗｎｌｉｎｋ  Ｃｏｎｔｒｏｌ  Ｉｎｆｏｒｍａｔｉｏｎ）であってもよく、当然ながら、他のシグナリングであってもよい。
【００７１】
選択肢として、ネットワーク装置は各シグナリングに対応するＳＲＳリソースセットを暗示的又は明示的に示してもよい。
【００７２】
選択肢として、前記少なくとも１つのシグナリングのうちの各シグナリングの前記少なくとも１つのシグナリングでの配列順序が対応するＳＲＳリソースセットを示す。
【００７３】
例えば、４つのシグナリングがある場合、１番目のシグナリングがＳＲＳリソースセット１に対応してもよく、２番目のシグナリングがＳＲＳリソースセット２に対応してもよく、３番目のシグナリングがＳＲＳリソースセット３に対応してもよく、４番目のシグナリングがＳＲＳリソースセット４に対応してもよい。
【００７４】
選択肢として、前記各シグナリングが、対応するＳＲＳリソースセットを示すための第１指示情報に関連付けられる。
【００７５】
具体的に、各シグナリングは、対応するＳＲＳリソースセットを示すための第１指示情報を含んでもよい。
【００７６】
一実現方式では、前記少なくとも１つのＳＲＳリソースセットに対応する少なくとも１つのＴＰＣ情報フィールドから、それぞれ前記各ＳＲＳリソースセットに対応するＴＰＣ情報を取得する。
【００７７】
該少なくとも１つの情報フィールドが同じシグナリングに属してもよく、異なるシグナリングに属してもよい。
【００７８】
選択肢として、ネットワーク装置は各情報フィールドに対応するＳＲＳリソースセットを暗示的又は明示的に示してもよい。
【００７９】
選択肢として、前記少なくとも１つのＴＰＣ情報フィールドのうちの各ＴＰＣ情報フィールドの前記少なくとも１つのＴＰＣ情報フィールドでの配列順序が対応するＳＲＳリソースセットを示す。
【００８０】
例えば、ネットワーク装置がＤＣＩによってＴＰＣ命令を端末装置に送信する。このＤＣＩにはＫ個のＴＰＣ  ｆｉｅｌｄがある場合、ｆｉｅｌｄ１がセット１に対応し、ｆｉｅｌｄ２がセット２に対応し、・・・ｆｉｅｌｄＫがセットＫに対応する。
【００８１】
例えば、４つの情報フィールド（ｆｉｌｅｄ）がある場合、１番目の情報フィールドがＳＲＳリソースセット１に対応してもよく、２番目の情報フィールドがＳＲＳリソースセット２に対応してもよく、３番目の情報フィールドがＳＲＳリソースセット３に対応してもよく、４番目の情報フィールドがＳＲＳリソースセット４に対応してもよい。
【００８２】
選択肢として、前記各ＴＰＣ情報フィールドが、対応するＳＲＳリソースセットを示すための第２指示情報に関連付けられる。
【００８３】
具体的に、各ＴＰＣ情報フィールドは対応するＳＲＳリソースセットを示すための第２指示情報を含んでもよい。
【００８４】
例えば、ネットワーク装置がＤＣＩによってＴＰＣ命令をＵＥに送信する。このＤＣＩには、Ｍ（Ｍ＜＝Ｋ）個のｆｉｅｌｄがあり、各ｆｉｅｌｄがＴＰＣ  ｆｉｅｌｄを含むとともに、１つのｓｅｔの番号ｋに関連付けられる。Ｍは端末装置に予め設定されたものであってもよく、ネットワーク高位層により構成決定されたものであってもよい。
【００８５】
選択肢として、前記少なくとも１つのＴＰＣ情報フィールドを含むシグナリングが端末装置グループに適用される。
【００８６】
選択肢として、端末装置がネットワーク装置から送信された、前記端末装置に対応するＴＰＣ情報フィールド及び／又は前記端末装置のＳＲＳリソースセットに対応するＴＰＣ情報フィールドを示すための第３指示情報を受信する。
【００８７】
具体的に、ネットワーク装置は第３指示情報によって複数の端末装置のうちのどの端末装置がその対応する情報フィールドであるかを示し、又は、単一の端末装置のＳＲＳリソースセットとＴＰＣ情報フィールドとの対応関係を示してもよい。
【００８８】
例えば、ネットワーク装置がＤＣＩによってＴＰＣ命令を１組のＵＥに送信し、複数のＴＰＣ情報、異なるＴＰＣ情報が異なるＵＥ又は同じＵＥの異なるＳＲＳリソースセット（ｒｅｓｏｕｒｃｅ  ｓｅｔ）に属してもよい。
【００８９】
ネットワーク装置が高位層シグナリングによって、ＵＥのＳＲＳ  ｒｅｓｏｕｒｃｅ  ｓｅｔ  ｋに対応するＤＣＩにおけるＴＰＣ情報の番号を同時に構成する。
【００９０】
従って、本願の実施例では、端末装置が少なくとも１つのＳＲＳリソースセットのうちの各ＳＲＳリソースセットに対して、対応する最大送信電力及び／又は送信電力制御（ＴＰＣ、ｔｒａｎｓｍｉｔ  ｐｏｗｅｒ  ｃｏｎｔｒｏｌ）情報を取得し、ＳＲＳ伝送の面での電力制御を実現できる。且つ、アンテナパネルが複数あって、各パネルが異なるＳＲＳリソースセットに対応する場合、複数のパネルがＳＲＳを同時に送信する電力制御を実現でき、アップリンクの干渉を低減する。
【００９１】
図３は本願の実施例に係る無線通信方法３００の模式的なフローチャートである。該方法３００は以下の少なくとも一部内容を含む。
【００９２】
３１０では、ネットワーク装置が少なくとも１つのＳＲＳリソースセットに対応する少なくとも１つのＴＰＣ情報を決定する。
【００９３】
３２０では、前記ネットワーク装置が端末装置へ前記少なくとも１つのＴＰＣ情報を送信する。
【００９４】
選択肢として、前記少なくとも１つのＴＰＣ情報が少なくとも１つのシグナリングに含まれており、各シグナリングに１つのＴＰＣ情報が含まれる。
【００９５】
選択肢として、前記少なくとも１つのシグナリングのうちの各シグナリングの前記少なくとも１つのシグナリングでの配列順序が対応するＳＲＳリソースセットを示す。
【００９６】
選択肢として、前記各シグナリングが、対応するＳＲＳリソースセットを示すための第１指示情報に関連付けられる。
【００９７】
選択肢として、前記少なくとも１つのＴＰＣ情報が単一のシグナリングの少なくとも１つのＴＰＣ情報フィールドに含まれており、各ＴＰＣ情報フィールドに１つのＴＰＣ情報が含まれる。
【００９８】
選択肢として、前記少なくとも１つのＴＰＣ情報フィールドのうちの各ＴＰＣ情報フィールドの前記少なくとも１つのＴＰＣ情報フィールドでの配列順序が対応するＳＲＳリソースセットを示す。
【００９９】
選択肢として、前記各ＴＰＣ情報フィールドが、対応するＳＲＳリソースセットを示すための第２指示情報に関連付けられる。
【０１００】
選択肢として、ネットワーク装置が前記端末装置に対応するＴＰＣ情報フィールド及び／又は前記端末装置のＳＲＳリソースセットに対応するＴＰＣ情報フィールドを示すための第３指示情報を送信する。
【０１０１】
選択肢として、前記単一のシグナリングが端末装置グループに適用される。
【０１０２】
図４は本願の実施例に係る端末装置４００の模式的なブロック図である。図４に示すように、該端末装置４００は処理ユニット４１０及び通信ユニット４２０を備え、
該処理ユニット４１０は、少なくとも１つのサウンディング参照信号（ＳＲＳ）リソースセットのうちの各ＳＲＳリソースセットに対応する最大送信電力及び／又は送信電力制御（ＴＰＣ）情報を取得することに用いられ、
該通信ユニット４２０は、該各ＳＲＳリソースセットに対応する最大送信電力及び／又はＴＰＣ情報に基づき、該各ＳＲＳリソースセットにおけるＳＲＳリソースを用いてＳＲＳを送信することに用いられる。
【０１０３】
選択肢として、該処理ユニット４１０は、更に、
該各ＳＲＳリソースセットに適用される第１最大送信電力を取得することに用いられる。
【０１０４】
選択肢として、該処理ユニット４１０は、更に、
該端末装置の電力レベル及び／又はネットワーク装置の構成情報に基づき、該第１最大送信電力を決定することに用いられる。
【０１０５】
選択肢として、該処理ユニット４１０は、更に、
第２最大送信電力を取得することと、
該第２最大電力を特定値で割った電力値を、該各ＳＲＳリソースセットに対応する最大送信電力として決定し、該特定値が該少なくとも１つのＳＲＳリソースセットに対応するＳＲＳリソースセットの数以上であることとに用いられる。
【０１０６】
選択肢として、該処理ユニット４１０は、更に、
該端末装置の電力レベル及び／又はネットワーク装置の構成情報に基づき、該第２最大送信電力を決定することに用いられる。
【０１０７】
選択肢として、該処理ユニット４１０は、更に、
該端末装置の電力レベル及び／又はネットワーク装置の構成情報に基づき、それぞれ該各ＳＲＳリソースセット又は各ＳＲＳリソースセットグループに対応する最大送信電力を独立して決定することに用いられる。
【０１０８】
選択肢として、該処理ユニット４１０は、更に、
該少なくとも１つのＳＲＳリソースセットに対応する少なくとも１つのシグナリングから、それぞれ該各ＳＲＳリソースセットに対応するＴＰＣ情報を取得することに用いられる。
【０１０９】
選択肢として、該少なくとも１つのシグナリングのうちの各シグナリングの前記少なくとも１つのシグナリングでの配列順序が対応するＳＲＳリソースセットを示し、又は、
該各シグナリングが、対応するＳＲＳリソースセットを示すための第１指示情報に関連付けられる。
【０１１０】
選択肢として、該処理ユニット４１０は、更に、
該少なくとも１つのＳＲＳリソースセットに対応する少なくとも１つのＴＰＣ情報フィールドから、それぞれ該各ＳＲＳリソースセットに対応するＴＰＣ情報を取得することに用いられる。
【０１１１】
選択肢として、該少なくとも１つのＴＰＣ情報フィールドのうちの各ＴＰＣ情報フィールドの該少なくとも１つのＴＰＣ情報フィールドでの配列順序が対応するＳＲＳリソースセットを示し、又は、
該各ＴＰＣ情報フィールドが、対応するＳＲＳリソースセットを示すための第２指示情報に関連付けられる。
【０１１２】
選択肢として、該通信ユニット４２０は、更に、
該端末装置に対応するＴＰＣ情報フィールド及び／又は該端末装置のＳＲＳリソースセットに対応するＴＰＣ情報フィールドを示すための第３指示情報を受信することに用いられる。
【０１１３】
選択肢として、該少なくとも１つのＴＰＣ情報フィールドを含むシグナリングが端末装置グループに適用される。
【０１１４】
選択肢として、該少なくとも１つのＳＲＳリソースセットが少なくとも１つのアンテナパネルに対応し、異なるパネルに対応するＳＲＳリソースセットが異なる。
【０１１５】
理解されるように、本願の実施例に係る端末装置４００は本願の方法実施例における端末装置に対応してもよく、且つ端末装置４００の各ユニットの上記及び他の操作及び／又は機能はそれぞれ図２に示される方法２００における端末装置の対応プロセスを実現するためのものであり、簡潔のため、ここで詳細な説明は省略する。
【０１１６】
図５は本願の実施例に係るネットワーク装置５００の模式的なブロック図である。図５に示すように、該ネットワーク装置５００は処理ユニット５１０及び通信ユニット５２０を備え、該処理ユニット５１０は、少なくとも１つのＳＲＳリソースセットに対応する少なくとも１つの送信電力制御（ＴＰＣ）情報を決定することに用いられ、該通信ユニット５２０は、端末装置へ該少なくとも１つのＴＰＣ情報を送信することに用いられる。
【０１１７】
選択肢として、該少なくとも１つのＴＰＣ情報が少なくとも１つのシグナリングに含まれており、各シグナリングに１つのＴＰＣ情報が含まれる。
【０１１８】
選択肢として、該少なくとも１つのシグナリングのうちの各シグナリングの該少なくとも１つのシグナリングでの配列順序が対応するＳＲＳリソースセットを示す。
【０１１９】
選択肢として、該各シグナリングが、対応するＳＲＳリソースセットを示すための第１指示情報に関連付けられる。
【０１２０】
選択肢として、該少なくとも１つのＴＰＣ情報が単一のシグナリングの少なくとも１つのＴＰＣ情報フィールドに含まれており、各ＴＰＣ情報フィールドに１つのＴＰＣ情報が含まれる。
【０１２１】
選択肢として、該少なくとも１つのＴＰＣ情報フィールドのうちの各ＴＰＣ情報フィールドの該少なくとも１つのＴＰＣ情報フィールドでの配列順序が対応するＳＲＳリソースセットを示す。
【０１２２】
選択肢として、該各ＴＰＣ情報フィールドが、対応するＳＲＳリソースセットを示すための第２指示情報に関連付けられる。
【０１２３】
選択肢として、該通信ユニット５２０は、更に、
該端末装置に対応するＴＰＣ情報フィールド及び／又は該端末装置のＳＲＳリソースセットに対応するＴＰＣ情報フィールドを示すための第３指示情報を送信することに用いられる。
【０１２４】
選択肢として、該単一のシグナリングが端末装置グループに適用される。
【０１２５】
理解されるように、本願の実施例に係るネットワーク装置５００は本願の方法実施例におけるネットワーク装置に対応してもよく、且つネットワーク装置５００の各ユニットの上記及び他の操作及び／又は機能はそれぞれ図３に示される方法３００におけるネットワーク装置の対応プロセスを実現するためのものであり、簡潔のため、ここで詳細な説明は省略する。
【０１２６】
図６は本願の実施例のシステムチップ６００の構造模式図である。図６におけるシステムチップ６００は入力インターフェース６０１、出力インターフェース６０２、プロセッサ６０３及びメモリ６０４を備え、それらが内部通信接続経路によって接続されてもよく、該プロセッサ６０３が該メモリ６０４におけるコードを実行することに用いられる。
【０１２７】
選択肢として、該コードが実行されるとき、該プロセッサ６０３は方法実施例における端末装置の実行する方法を実現する。簡潔のため、ここで詳細な説明は省略する。
【０１２８】
選択肢として、該コードが実行されるとき、該プロセッサ６０３は方法実施例におけるネットワーク装置の実行する方法を実現する。簡潔のため、ここで詳細な説明は省略する。
【０１２９】
図７は本願の実施例に係る通信装置７００の模式的なブロック図である。図７に示すように、該通信装置７００はプロセッサ７１０及びメモリ７２０を備える。該メモリ７２０にプログラムコードが記憶されてもよく、該プロセッサ７１０が該メモリ７２０に記憶されるプログラムコードを実行できる。
【０１３０】
選択肢として、図７に示すように、該通信装置７００は送受信機７３０を備えてもよく、プロセッサ７１０は送受信機７３０が外部と通信するように制御することができる。
【０１３１】
選択肢として、該プロセッサ７１０はメモリ７２０に記憶されるプログラムコードを呼び出して、方法実施例における端末装置の対応操作を実行することができ、簡潔のため、ここで詳細な説明は省略する。
【０１３２】
選択肢として、該プロセッサ７１０はメモリ７２０に記憶されるプログラムコードを呼び出して、方法実施例におけるネットワーク装置の対応操作を実行することができ、簡潔のため、ここで詳細な説明は省略する。
【０１３３】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１３４】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。なお、本明細書に説明されるシステム及び方法のメモリはこれらのメモリ及び任意の他の適切なタイプのメモリを含んでもよいが、それらに限らないように意図されるものである。
【０１３５】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１３６】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０１３７】
本願に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３８】
分離部材として説明される前記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例案の目的を実現してもよい。
【０１３９】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１４０】
前記機能はソフトウェア機能ユニットの形式で実現され、独立する製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４１】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021515425.tif 000003
【図２】
2021515425.tif 000004
【図３】
2021515425.tif 000005
【図４】
2021515425.tif 000006
【図５】
2021515425.tif 000007
【図６】
2021515425.tif 000008
【図７】
2021515425.tif 000009
【手続補正書】
【提出日】令和2年12月16日(2020.12.16)
【手続補正１】
【補正対象書類名】明細書
【補正対象項目名】０００８
【補正方法】変更
【補正の内容】
【０００８】
第１態様又はその上記いずれか１つの可能な実現方式を参照して、第１態様の可能な実現方式では、前記端末装置が前記各ＳＲＳリソースセットに対応する最大送信電力を取得することは、
第２最大送信電力を取得することと、
前記第２最大送信電力を特定値で割った電力値を、前記各ＳＲＳリソースセットに対応する最大送信電力として決定し、前記特定値が前記少なくとも１つのＳＲＳリソースセットに対応するＳＲＳリソースセットの数以上であることと、を含む。
【手続補正２】
【補正対象書類名】明細書
【補正対象項目名】００１９
【補正方法】変更
【補正の内容】
【００１９】
第２態様を参照して、前記少なくとも１つのＴＰＣ情報は少なくとも１つのシグナリングに含まれ、各シグナリングに１つのＴＰＣ情報が含まれる。
【手続補正３】
【補正対象書類名】明細書
【補正対象項目名】００３３
【補正方法】変更
【補正の内容】
【００３３】
従って、本願の実施例では、端末装置は少なくとも１つのＳＲＳリソースセットのうちの各ＳＲＳリソースセットに対して、対応する最大送信電力及び／又は送信電力制御（ＴＰＣ、ｔｒａｎｓｍｉｔ  ｐｏｗｅｒ  ｃｏｎｔｒｏｌ）情報を取得し、ＳＲＳ伝送の面での電力制御を実現することができる。且つ、複数のアンテナパネルが応用され、各パネルが異なるＳＲＳリソースセットに対応する場合、複数のパネルがＳＲＳを同時に送信する電力制御を実現でき、アップリンクの干渉を低減する。
【手続補正４】
【補正対象書類名】明細書
【補正対象項目名】００３７
【補正方法】変更
【補正の内容】
【００３７】
図１には本願の実施例に適用される無線通信システム１００を示す。該無線通信システム１００はネットワーク装置１１０を備えてもよい。ネットワーク装置１１０は端末装置と通信する装置であってもよい。ネットワーク装置１１０は特定の地理的領域に通信カバレッジを提供することができ、且つ該カバレッジ領域内の端末装置（例えば、ＵＥ）と通信することができる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【手続補正５】
【補正対象書類名】明細書
【補正対象項目名】００６０
【補正方法】変更
【補正の内容】
【００６０】
一実現方式では、端末装置が第２最大送信電力を取得し、前記第２最大送信電力を特定値で割った電力値を、前記各ＳＲＳリソースセットに対応する最大送信電力として決定し、前記特定値が前記少なくとも１つのＳＲＳリソースセットに対応するＳＲＳリソースセットの数以上である。
【手続補正６】
【補正対象書類名】明細書
【補正対象項目名】００６２
【補正方法】変更
【補正の内容】
【００６２】
選択肢として、前記端末装置が前記端末装置の電力レベル及び／又はネットワーク装置の構成情報に基づき、前記第２最大送信電力を決定する。
【手続補正７】
【補正対象書類名】明細書
【補正対象項目名】００８８
【補正方法】変更
【補正の内容】
【００８８】
例えば、ネットワーク装置がＤＣＩによってＴＰＣ命令を１組のＵＥに送信し、複数のＴＰＣ情報を含み、異なるＴＰＣ情報が異なるＵＥ又は同じＵＥの異なるＳＲＳリソースセット（ｒｅｓｏｕｒｃｅ  ｓｅｔ）に属してもよい。
【手続補正８】
【補正対象書類名】明細書
【補正対象項目名】０１０５
【補正方法】変更
【補正の内容】
【０１０５】
選択肢として、該処理ユニット４１０は、更に、
第２最大送信電力を取得することと、
該第２最大送信電力を特定値で割った電力値を、該各ＳＲＳリソースセットに対応する最大送信電力として決定し、該特定値が該少なくとも１つのＳＲＳリソースセットに対応するＳＲＳリソースセットの数以上であることとに用いられる。
【手続補正９】
【補正対象書類名】特許請求の範囲
【補正対象項目名】全文
【補正方法】変更
【補正の内容】
【特許請求の範囲】
【請求項１】
無線通信方法であって、
端末装置が少なくとも１つのサウンディング参照信号（ＳＲＳ）リソースセットのうちの各ＳＲＳリソースセットに対応する最大送信電力及び／又は送信電力制御（ＴＰＣ）情報を取得することと、
前記各ＳＲＳリソースセットに対応する最大送信電力及び／又はＴＰＣ情報に基づき、前記各ＳＲＳリソースセットにおけるＳＲＳリソースを用いてＳＲＳを送信することと、を含むことを特徴とする無線通信方法。
【請求項２】
前記端末装置が前記各ＳＲＳリソースセットに対応する最大送信電力を取得することは、
前記端末装置が前記各ＳＲＳリソースセットに適用される第１最大送信電力を取得することを含むことを特徴とする請求項１に記載の方法。
【請求項３】
端末装置であって、
少なくとも１つのサウンディング参照信号（ＳＲＳ）リソースセットのうちの各ＳＲＳリソースセットに対応する最大送信電力及び／又は送信電力制御（ＴＰＣ）情報を取得するための処理ユニットと、
前記各ＳＲＳリソースセットに対応する最大送信電力及び／又はＴＰＣ情報に基づき、前記各ＳＲＳリソースセットにおけるＳＲＳリソースを用いてＳＲＳを送信するための通信ユニットと、を備えることを特徴とする端末装置。
【請求項４】
前記処理ユニットは、更に、
前記各ＳＲＳリソースセットに適用される第１最大送信電力を取得することに用いられることを特徴とする請求項３に記載の装置。
【請求項５】
前記処理ユニットは、更に、
前記端末装置の電力レベル及び／又はネットワーク装置の構成情報に基づき、前記第１最大送信電力を決定することに用いられることを特徴とする請求項４に記載の装置。
【請求項６】
前記処理ユニットは、更に、
第２最大送信電力を取得することと、
前記第２最大送信電力を特定値で割った電力値を、前記各ＳＲＳリソースセットに対応する最大送信電力として決定し、前記特定値が前記少なくとも１つのＳＲＳリソースセットに対応するＳＲＳリソースセットの数以上であることとに用いられることを特徴とする請求項３に記載の装置。
【請求項７】
前記処理ユニットは、更に、
前記端末装置の電力レベル及び／又はネットワーク装置の構成情報に基づき、前記第２最大送信電力を決定することに用いられることを特徴とする請求項６に記載の装置。
【請求項８】
前記処理ユニットは、更に、
前記端末装置の電力レベル及び／ネットワーク装置の構成情報に基づき、それぞれ前記各ＳＲＳリソースセット又は各ＳＲＳリソースセットグループに対応する最大送信電力を独立して決定することに用いられることを特徴とする請求項３に記載の装置。
【請求項９】
前記処理ユニットは、更に、
前記少なくとも１つのＳＲＳリソースセットに対応する少なくとも１つのシグナリングから、それぞれ前記各ＳＲＳリソースセットに対応するＴＰＣ情報を取得することに用いられることを特徴とする請求項３〜８のいずれか１項に記載の装置。
【請求項１０】
前記少なくとも１つのシグナリングのうちの各シグナリングの前記少なくとも１つのシグナリングでの配列順序が対応するＳＲＳリソースセットを示し、又は、
前記各シグナリングが、対応するＳＲＳリソースセットを示すための第１指示情報に関連付けられることを特徴とする請求項９に記載の装置。
【請求項１１】
前記処理ユニットは、更に、
前記少なくとも１つのＳＲＳリソースセットに対応する少なくとも１つのＴＰＣ情報フィールドから、それぞれ前記各ＳＲＳリソースセットに対応するＴＰＣ情報を取得することに用いられることを特徴とする請求項３〜８のいずれか１項に記載の装置。
【請求項１２】
前記少なくとも１つのＴＰＣ情報フィールドのうちの各ＴＰＣ情報フィールドの前記少なくとも１つのＴＰＣ情報フィールドでの配列順序が対応するＳＲＳリソースセットを示し、又は、
前記各ＴＰＣ情報フィールドが、対応するＳＲＳリソースセットを示すための第２指示情報に関連付けられることを特徴とする請求項１１に記載の装置。
【請求項１３】
前記通信ユニットは、更に、
前記端末装置に対応するＴＰＣ情報フィールド及び／又は前記端末装置のＳＲＳリソースセットに対応するＴＰＣ情報フィールドを示すための第３指示情報を受信することに用いられることを特徴とする請求項１１又は１２に記載の装置。
【請求項１４】
前記少なくとも１つのＴＰＣ情報フィールドを含むシグナリングが端末装置グループに適用されることを特徴とする請求項１１〜１３のいずれか１項に記載の装置。
【請求項１５】
前記少なくとも１つのＳＲＳリソースセットが少なくとも１つのアンテナパネルに対応し、異なるパネルに対応するＳＲＳリソースセットが異なることを特徴とする請求項３〜１４のいずれか１項に記載の装置。
【国際調査報告】
2021515425.tif 000010
2021515425.tif 000011
2021515425.tif 000012
2021515425.tif 000013